(57)【要約】【課題】回路規模を削減するとともに、輝度調整を短時間で高精度に行うことを可能にした自動輝度調整システムを提供する。【解決手段】ブラウン管２のカソード電極を駆動する駆動トランジスタ１８Ｒに供給される映像信号の直流レベルを自動調整する自動輝度調整システムにおいて、直流レベル調整データＤＣ（Ｒ）に基づいて映像信号の直流レベルを調整する直流調整回路１３Ｒと、映像信号期間中に映像信号の直流レベル調整用の黒信号に対応したＲ原色信号を生成するＯＳＤ信号生成回路１９と、輝度調整時に直流調整回路１３Ｒによりその直流レベルが調整された黒信号に対応したＲ原色信号に基づいて、駆動トランジスタ１８Ｒに流れる電流に応じたフィードバック電圧ＶＦ（Ｒ）と直流レベル基準電圧ＶＲＥＦ（Ｒ）とを比較する比較器２２と、比較器２２の比較結果に応じて直流レベル調整データＤＣ（Ｒ）を生成する直流レベル調整データ生成回路２３とを備える。【選択図】図１
2011250016.tif 000002
【特許請求の範囲】
【請求項１】
ブラウン管のカソード電極を駆動する駆動トランジスタに供給される映像信号の直流レベルを自動調整する自動輝度調整システムにおいて、
直流レベル調整データに基づいて前記映像信号の直流レベルを調整する直流調整回路と、
映像信号期間中に前記映像信号の直流レベル調整用の黒信号を生成する信号生成回路と、
輝度調整時に、前記直流調整回路によりその直流レベルが調整された前記黒信号に基づいて前記駆動トランジスタに流れる電流に応じたフィードバック電圧と直流レベル基準電圧とを比較する比較器と、
前記比較器の比較結果に応じて、前記直流レベル調整データを生成する直流レベル調整データ生成回路と、を備えることを特徴とする自動輝度調整システム。
【請求項２】
前記直流レベル調整データ生成回路は、前記比較器により、前記フィードバック電圧が前記直流レベル基準電圧より小さいと判定された時は、前記直流レベル調整データを増加させ、前記直流調整回路は、増加された直流レベル調整データに基づいて前記黒信号の直流レベルを調整することを特徴とする請求項１に記載の自動輝度調整システム。
【請求項３】
前記直流レベル調整データ生成回路により生成された前記直流レベル調整データを保持し、前記直流調整回路に供給する直流レベル調整データ保持回路を備えることを特徴とする請求項１又は請求項２に記載の自動輝度調整システム。
【請求項４】
前記比較器により前記フィードバック電圧が直流レベル基準電圧より大きくなったと判定された時に、前記直流レベル調整データ保持回路に保持された前記直流レベル調整データが書き込まれる不揮発性メモリを備えることを特徴とする請求項３に記載の自動輝度調整システム。
【請求項５】
ブラウン管のカソード電極を駆動する駆動トランジスタに供給される映像信号の交流レベルを自動調整する自動輝度調整システムにおいて、
交流レベル調整データに基づいて映像信号の交流レベルを調整する交流調整回路と、
映像信号期間中に、前記映像信号の交流レベル調整用の白信号を生成する信号生成回路と、
輝度調整時に、前記交流調整回路によりその交流レベルが調整された前記白信号に基づいて、前記駆動トランジスタに流れる電流に応じたフィードバック電圧と交流レベル基準電圧とを比較する比較器と、
前記比較器の比較結果に応じて、前記交流レベル調整データを生成する交流レベル調整データ生成回路と、を備えることを特徴とする自動輝度調整システム。
【請求項６】
前記交流レベル調整データ生成回路は、前記比較器により、前記フィードバック電圧が前記交流レベル基準電圧より小さいと判定された時は、前記交流レベル調整データを増加させ、前記交流調整回路は、増加された交流レベル調整データに基づいて前記白信号の交流レベルを調整することを特徴とする請求項５に記載の自動輝度調整システム。
【請求項７】
前記交流レベル調整データ保持回路により生成された前記交流レベル調整データを保持し、前記交流調整回路に供給する交流レベル調整データ保持回路を備えることを特徴とする請求項５又は請求項６に記載の自動輝度調整システム。
【請求項８】
前記比較器により、前記フィードバック電圧が前記交流レベル基準電圧より大きくなったと判定された時に、前記交流レベル調整データ保持回路に保持された前記交流レベル調整データが書き込まれる不揮発性メモリを備えることを特徴とする請求項７に記載の自動輝度調整システム。
【請求項９】
前記信号生成回路は、前記ブラウン管に設定画面を表示するためのオンスクリーンディスプレイ信号を生成する回路であり、前記オンスクリーンディスプレイ信号を前記映像信号の交流レベル調整用の白信号、又は直流レベル調整用の黒信号として利用することを特徴とする請求項１又は請求項５に記載の自動輝度調整システム。
【発明の詳細な説明】
【技術分野】
【０００１】
本発明は、ブラウン管を使用したテレビジョン受像機やコンピュータディスプレイに輝度信号が正確に表示されるようにするための自動輝度調整システムに関する。
【背景技術】
【０００２】
ブラウン管を使用したテレビジョン受像機、コンピュータディスプレイでは、輝度調整、つまりホワイトバランス調整を出荷前に製造ラインの中で行っている。輝度調整の種類としては、うっすらと光る暗いレベルでのＲＧＢ（赤、緑、青の原色）の映像信号のバランス調整を行うカットオフ調整と、強く光る明るいレベルでのＲＧＢの各原色映像信号のバランス調整を行うドライブ調整とがある。カットオフ調整はＲＧＢ映像信号の直流レベル（バイアス）の調整を行う。ドライブ調整は、ＲＧＢ映像信号の交流レベル（ゲイン）の調整を行う。
【０００３】
従来の自動輝度調整システムにおいては、映像信号期間以外の垂直ブランキング期間に輝度調整用のテスト信号（黒信号又は白信号）を挿入し、ブラウン管のカソード電極を駆動する駆動トランジスタからフィードバックされるフィードバック電圧に基づいて、輝度調整信号の直流レベル又は交流レベルの調整が行われていた。
【先行技術文献】
【特許文献】
【０００４】
【特許文献１】特開平１１−３４１５１２号公報
【発明の概要】
【発明が解決しようとする課題】
【０００５】
しかしながら、従来の自動輝度調整システムでは、垂直ブランキング期間に輝度調整用のテスト信号を挿入するための回路が必要であり、そのため回路規模が大きくなりコストアップを招くという問題があった。
【０００６】
そこで、本発明の目的は、垂直ブランキング期間に輝度調整用のテスト信号を挿入するための回路を不要にしてコストダウンを可能にした自動輝度調整システムを提供することである。また、本発明の他の目的は、輝度調整を短時間で高精度に行うことを可能にした自動輝度調整システムを提供することである。
【課題を解決するための手段】
【０００７】
本発明の自動輝度調整システムは、ブラウン管のカソード電極を駆動する駆動トランジスタに供給される映像信号の直流レベルを自動調整する自動輝度調整システムにおいて、直流レベル調整データに基づいて前記映像信号の直流レベルを調整する直流調整回路と、映像信号期間中に前記映像信号の直流レベル調整用の黒信号を生成する信号生成回路と、輝度調整時に、前記直流調整回路によりその直流レベルが調整された前記黒信号に基づいて前記駆動トランジスタに流れる電流に応じたフィードバック電圧と直流レベル基準電圧とを比較する比較器と、前記比較器の比較結果に応じて、前記直流レベル調整データを生成する直流レベル調整データ生成回路と、を備えることを特徴とするものである。
【０００８】
また、本発明の自動輝度調整システムは、ブラウン管のカソード電極を駆動する駆動トランジスタに供給される映像信号の交流レベルを自動調整する自動輝度調整システムにおいて、交流レベル調整データに基づいて映像信号の交流レベルを調整する交流調整回路と、映像信号期間中に、前記映像信号の交流レベル調整用の白信号を生成する信号生成回路と、輝度調整時に、前記交流調整回路によりその交流レベルが調整された前記白信号に基づいて、前記駆動トランジスタに流れる電流に応じたフィードバック電圧と交流レベル基準電圧とを比較する比較器と、前記比較器の比較結果に応じて、前記交流レベル調整データを生成する交流レベル調整データ生成回路と、を備えることを特徴とするものである。
【発明の効果】
【０００９】
本発明の自動輝度調整システムによれば、映像信号期間中に輝度調整用のテスト信号を挿入しているので、垂直ブランキング期間に輝度調整用のテスト信号を挿入するための回路が不要となり、回路規模の削減によりコストダウンを図ることができる。また、本発明の自動輝度調整システムによれば、輝度調整を短時間で高精度に行うことができる。
【図面の簡単な説明】
【００１０】
【図１】本発明の第１の実施形態の自動輝度調整システムの概略構成を示すブロック図である。
【図２】本発明の第１の実施形態の自動輝度調整システムの詳しい構成を示す回路図である。
【図３】本発明の第１の実施形態の自動輝度調整システムの処理を説明する第１のフローチャートである。
【図４】本発明の第１の実施形態の自動輝度調整システムの処理を説明する第２のフローチャートである。
【図５】本発明の第１の実施形態の自動輝度調整システムの処理を説明する第３のフローチャートである。
【図６】本発明の第１の実施形態の自動輝度調整システムのカットオフ調整を説明する信号波形図である。
【図７】本発明の第２の実施形態の自動輝度調整システムの詳しい構成を示す回路図である。
【図８】本発明の第２の実施形態の自動輝度調整システムの処理を説明する第１のフローチャートである。
【図９】本発明の第２の実施形態の自動輝度調整システムの処理を説明する第２のフローチャートである。
【図１０】本発明の第２の実施形態の自動輝度調整システムの処理を説明する第３のフローチャートである。
【発明を実施するための形態】
【００１１】
［第１の実施形態］
図１は、本発明の第１の実施形態の自動輝度調整システム（カットオフ調整システム）の概略構成を示すブロック図である。図２は、この自動輝度調整システムの具体的な構成を示す回路図である。
【００１２】
図１に示すように、この自動輝度調整システムは、ＲＧＢの映像信号の直流レベル調整、交流レベル調整等の処理を行う映像信号処理回路１、ブラウン管２のカソード電極を駆動する駆動回路３、映像信号処理回路１の輝度調整の制御を行う制御回路４、及びＥＥＰＲＯＭ５を含んで構成される。ＥＥＰＲＯＭ５は、電気的に書き込み及び消去可能な不揮発性メモリある。
【００１３】
図２に示すように、映像信号処理回路１は、シリアルパラレル変換回路１０、ＲＧＢの各映像信号の直流レベル調整データＤＣ（Ｒ），ＤＣ（Ｇ），ＤＣ（Ｂ）を保持する保持回路１１Ｒ，１１Ｇ，１１Ｂ、デジタルアナログ変換回路１２Ｒ，１２Ｇ，１２Ｂ、直流調整回路１３Ｒ，１３Ｇ，１３Ｂ、交流調整回路１４Ｒ，１４Ｇ，１４Ｂ、スイッチ１５Ｒ，１５Ｇ，１５Ｂ、及びテスト信号源１６を含んで構成される。直流調整回路１３Ｒ，１３Ｇ，１３Ｂは、それぞれブランキング信号が印加される端子１７Ｒ，１７Ｇ，１７Ｂを持っている。
【００１４】
駆動回路３は、例えばＰＮＰ型のバイポーラトランジスタからなる駆動トランジスタ１８Ｒ，１８Ｇ，１８Ｂに流れる電流Ｉを電圧、つまりフィードバック電圧ＶＦに変換する抵抗Ｒ１を含んで構成される。この場合、ＶＦは、Ｉ×抵抗Ｒ１の抵抗値である。
駆動トランジスタ１８Ｒ，１８Ｇ，１８Ｂの各出力端子（エミッタ）は、エミッタ抵抗を介して電源Ｖｃｃに接続され、各出力端子（エミッタ）はブラウン管２のカソード電極に接続されている。抵抗Ｒ１は、駆動トランジスタ１８Ｒ，１８Ｇ，１８Ｂの共通接続されたコレクタと接地の間に接続される。
【００１５】
制御回路４は、ブラウン管２に設定画面を表示するためのＯＳＤ信号（On Screen Display Signal）を生成するＯＳＤ信号生成回路１９、アナログデジタル変換回路２０、基準電圧源２１、比較器２２、及び直流レベル調整データ生成回路２３を含んで構成される。制御回路４は、ＯＳＤ信号生成回路１９を持ったマイクロコンピュータで構成することができる。
【００１６】
シリアルパラレル変換回路１０は、制御回路４の直流レベル調整データ生成回路２３により生成される、ＲＧＢの映像信号に対応した直流レベル調整データＤＣ（Ｒ），ＤＣ（Ｇ），ＤＣ（Ｂ）をシリアルデータ線２４及びシリアルクロック線２５からなるＩ２Ｃバス（Inter-IC Bus）を介して受け取り、受け取った直流レベル調整データＤＣ（Ｒ），ＤＣ（Ｇ），ＤＣ（Ｂ）をパラレルデータに変換する。
【００１７】
保持回路１１Ｒ，１１Ｇ，１１Ｂは、シリアルパラレル変換回路１０によりパラレルデータに変換された対応する直流レベル調整データＤＣ（Ｒ），ＤＣ（Ｇ），ＤＣ（Ｂ）を保持する。保持回路１１Ｒ，１１Ｇ，１１Ｂは、例えば、フリップフロップを用いたラッチ回路で構成することができる。
【００１８】
デジタルアナログ変換回路１２Ｒ，１２Ｇ，１２Ｂは、保持回路１１Ｒ，１１Ｇ，１１Ｂにより保持された対応する直流レベル調整データＤＣ（Ｒ），ＤＣ（Ｇ），ＤＣ（Ｂ）をアナログ信号に変換する。アナログ信号に変換された直流レベル調整データＤＣ（Ｒ），ＤＣ（Ｇ），ＤＣ（Ｂ）は、対応する直流調整回路１３Ｒ，１３Ｇ，１３Ｂに印加される。
【００１９】
テスト信号源１６及びＯＳＤ信号生成回路１９は、垂直ブランキング期間ではない映像信号期間中（ブラウン管２上に映像が表示される期間）に、カットオフ調整用の黒信号に対応したＲＧＢの各原色信号を発生する。つまり、黒信号はそれに対応したＲＧＢの各原色信号から構成される。
【００２０】
図６（ａ）に示すように、カットオフ調整用の黒信号は、映像信号期間の全期間中に発生されるか、又は図６（ｂ）に示すように、映像信号期間の一部の期間中にのみ発生される。
【００２１】
スイッチ１５Ｒ，１５Ｇ，１５Ｂは、輝度調整時（この場合はカットオフ調整時）に、テスト信号源１６からの黒信号に対応したＲＧＢ各原色信号又はＯＳＤ信号生成回路１９からの黒信号に対応したＲＧＢの各原色信号のいずれかを直流調整回路１３Ｒ，１３Ｇ，１３Ｂに印加する。ＯＳＤ信号生成回路１９の黒信号に対応したＲＧＢの各原色信号は、ＯＳＤ信号を利用して作成される。なお、ＯＳＤ信号生成回路１９により生成された黒信号に対応したＲＧＢの各原色信号は、信号線２６Ｒ，２６Ｇ，２６Ｂを介して、直流調整回路１３Ｒ，１３Ｇ，１３Ｂに印加される。
【００２２】
直流調整回路１３Ｒ，１３Ｇ，１３Ｂは、対応する直流レベル調整データＤＣ（Ｒ），ＤＣ（Ｇ），ＤＣ（Ｂ）に基づいて、スイッチ１５Ｒ，１５Ｇ，１５Ｂを介して印加された黒信号に対応したＲＧＢの各原色信号の直流レベルを調整する。
【００２３】
このようなカットオフ調整は、黒信号に対応したＲＧＢの各原色信号について時系列的に行われる。即ち、最初にＲ原色信号の調整を行うとすると、直流調整回路１３Ｒ、交流調整回路１４Ｒ及び駆動トランジスタ１８Ｒのみを動作させる。直流調整回路１３Ｇ，１３Ｂ、交流調整回路１４Ｇ，１４Ｂ及び駆動トランジスタ１８Ｇ，１８Ｂは、端子１７Ｇ，１７Ｂにブランキング信号を印加することにより、非動作状態にする。
【００２４】
次に、Ｇ原色信号の調整を行うとすると、直流調整回路１３Ｇ、交流調整回路１４Ｇ及び駆動トランジスタ１８Ｇのみを動作させる。直流調整回路１３Ｒ，１３Ｂ、交流調整回路１４Ｒ，１４Ｂ及び駆動トランジスタ１８Ｒ，１８Ｂは、端子１７Ｒ，１７Ｂにブランキング信号を印加することにより、非動作状態にする。
【００２５】
最後に、Ｂ原色信号の調整を行うとすると、直流調整回路１３Ｂ、交流調整回路１４Ｂ及び駆動トランジスタ１８Ｂのみを動作させる。直流調整回路１３Ｒ，１３Ｇ、交流調整回路１４Ｒ，１４Ｇ及び駆動トランジスタ１８Ｒ，１８Ｇは、端子１７Ｒ，１７Ｇにブランキング信号を印加することにより、非動作状態にする。
【００２６】
なお、輝度調整時ではない通常動作時においては、直流調整回路１３Ｒ，１３Ｇ，１３Ｂには通常の輝度信号及びＯＳＤ信号生成回路１９からＯＳＤ信号が印加されるように構成されている。
【００２７】
輝度調整時において、直流調整回路１３Ｒ，１３Ｇ，１３Ｂにより直流レベルが調整された黒信号に対応したＲＧＢの各原色信号は、交流調整回路１４Ｒ，１４Ｇ，１４Ｂを通して、駆動トランジスタ１８Ｒ，１８Ｇ，１８Ｂのベースに時系列的に印加される。駆動トランジスタ１８Ｒ，１８Ｇ，１８Ｂはそれぞれ対応するブラウン管２のカソード電極を駆動する。
【００２８】
駆動トランジスタ１８Ｒ，１８Ｇ，１８Ｂのエミッタ・コレクタ路に流れる電流Ｉは、抵抗Ｒ１によりフィードバック電圧ＶＦ（Ｒ），ＶＦ（Ｇ），ＶＦ（Ｂ）に変換される。カットオフ調整は、前述のように、ＲＧＢの各原色信号について時系列的に行われるため、フィードバック電圧ＶＦ（Ｒ），ＶＦ（Ｇ），ＶＦ（Ｂ）も時系列的に発生する。フィードバック電圧ＶＦ（Ｒ），ＶＦ（Ｇ），ＶＦ（Ｂ）は、制御回路４のアナログデジタル変換回路２０によりデジタル信号に変換される。
【００２９】
比較器２２は、フィードバック電圧ＶＦ（Ｒ），ＶＦ（Ｇ），ＶＦ（Ｂ）と対応する直流レベル基準電圧ＶＲＥＦ（Ｒ），ＲＥＦ（Ｇ），ＲＥＦ（Ｂ）とを時系列的に比較する。直流レベル基準電圧ＶＲＥＦ（Ｒ），ＲＥＦ（Ｇ），ＲＥＦ（Ｂ）は、基準電圧源２１により生成される。直流レベル調整データ生成回路２３は、比較器２２の比較結果に応じて、直流レベル調整データＤＣ（Ｒ），ＤＣ（Ｇ），ＤＣ（Ｂ）を生成する。
【００３０】
Ｒ原色信号のカットオフ調整を行う場合、直流レベル調整データ生成回路２３は、比較器２２により、フィードバック電圧ＶＦ（Ｒ）が直流レベル基準電圧ＶＲＥＦ（Ｒ）より小さいと判定された時は、直流レベル調整データＤＣ（Ｒ）を所定値だけ増加させる。すると、増加された直流レベル調整データＤＣ（Ｒ）に基づいて、直流調整回路１３Ｒにより直流レベルの調整が行われる。その結果、駆動回路３から発生した新たなフィードバック電圧ＶＦ（Ｒ）と直流レベル基準電圧ＶＲＥＦ（Ｒ）とが比較される。このステップが繰り返される。
【００３１】
そして、フィードバック電圧ＶＦ（Ｒ）が直流レベル基準電圧ＶＲＥＦ（Ｒ）以上になった時（ＶＲＥＦ（Ｒ）≦ＶＦ（Ｒ））に調整を終了する。この時の直流レベル調整データＤＣ（Ｒ）は、保持回路１１Ｒにより保持される。Ｇ，Ｂ原色信号のカットオフ調整もＲ原色信号の直流レベル調整と同様に行われる。
【００３２】
続いて、自動輝度調整システムのカットオフ調整の処理を図３、図４及び図５のフローチャートに基づいて説明する。以下の処理は、制御回路４がマイクロコンピュータの場合には、ＲＯＭに格納されたプログラムに従って実行される。
【００３３】
先ず、図３のフローチャートに示すように、Ｒ原色信号のカットオフ調整が開始される。制御回路４は、調整開始を意味するキー入力の有無を監視する。（ステップＳ１、Ｓ２）キー入力は、システムのキーボードに対して行われる。このキー入力があると判断されると、フィードバック電圧ＶＦ（Ｒ）の測定シーケンスを開始する。（ステップＳ３）
ステップＳ３において、テスト信号源１６又はＯＳＤ信号生成回路１９は黒信号に対応したＲ原色信号を垂直ブランキング期間ではない映像信号期間中に発生する。発生された黒信号に対応したＲ原色信号は、スイッチ１５Ｒを介して、直流調整回路１３Ｒに印加される。また、直流レベル調整データ生成回路２３は、Ｒ原色信号に対応した、初期値の直流レベル調整データＤＣ（Ｒ）を生成する。
【００３４】
直流調整回路１３Ｒは、この直流レベル調整データＤＣ（Ｒ）に基づいて、黒信号に対応したＲ原色信号の直流レベルを調整する。そして、次のステップＳ４において、駆動回路３からのフィードバック電圧ＶＦ（Ｒ）が安定化するまでの所定の待ち時間（例えば、１５００ｍｓｅｃ）が経過するのを待つ。待ち時間が経過すると、ステップＳ５において、フィードバック電圧ＶＦ（Ｒ）は制御回路４に入力される。
【００３５】
続いてステップＳ６において、制御回路４に入力されたフィードバック電圧ＶＦ（Ｒ）と直流レベル基準電圧ＶＲＥＦ（Ｒ）は比較器２２により比較される。その比較結果により、フィードバック電圧ＶＦ（Ｒ）が直流レベル基準電圧ＶＲＥＦ（Ｒ）より小さいと判定された時は、ステップＳ７において直流レベル調整データＤＣ（Ｒ）を増加させる。これに対して、フィードバック電圧ＶＦ（Ｒ）が直流レベル基準電圧ＶＲＥＦ（Ｒ）以上であると判定された時、その時点での直流レベル調整データＤＣ（Ｒ）は保持回路１１Ｒに保持される。
【００３６】
ステップＳ７において、直流レベル調整データＤＣ（Ｒ）を増加させた時に、直流レベル調整データＤＣ（Ｒ）がその上限値を超えるか否かが判定される。（ステップＳ８）増加された直流レベル調整データＤＣ（Ｒ）がその上限値を超えない場合は、その直流レベル調整データＤＣ（Ｒ）を保持回路１１Ｒに出力する。（ステップＳ９）保持回路１１Ｒは、その直流レベル調整データＤＣ（Ｒ）を保持する。すると、直流調整回路１３Ｒは、その増加された直流レベル調整データＤＣ（Ｒ）に基づいて、直流レベルを再調整する。
【００３７】
そして、ステップＳ５に戻り、フィードバック電圧ＶＦ（Ｒ）は制御回路４に入力される。直流レベル調整データＤＣ（Ｒ）を増加させてから、フィードバック電圧ＶＦ（Ｒ）を制御回路４に入力するまでの待ち時間は、例えば４０ｍｓｅｃである。次のステップＳ６において、制御回路４に入力されたフィードバック電圧ＶＦ（Ｒ）は、交流レベル基準電圧ＡＶＲＥＦ（Ｒ）と再び比較される。
【００３８】
即ち、直流レベル調整データＤＣ（Ｒ）はその上限値を超えない限り、フィードバック電圧ＶＦ（Ｒ）が直流レベル基準電圧ＶＲＥＦ（Ｒ）以上になるまで増加される。そして、フィードバック電圧ＶＦ（Ｒ）が直流レベル基準電圧ＶＲＥＦ（Ｒ）以上になった時、又はその上限値を超えた時に、その時点での直流レベル調整データＤＣ（Ｒ）が保持回路１１Ｒに保持されることなる。（ステップＳ１０）
【００３９】
続いて、図４のフローチャートに示すように、Ｇ原色信号のカットオフ調整が行われる。先ず、ステップＳ１１において、テスト信号源１６又はＯＳＤ信号生成回路１９は黒信号に対応したＧ原色信号を垂直ブランキング期間ではない映像信号期間中に発生する。発生された黒信号に対応したＧ原色信号は、スイッチ１５Ｇを介して、直流調整回路１３Ｇに印加される。
【００４０】
また、直流レベル調整データ生成回路２３はＧ原色信号に対応した、初期値の直流レベル調整データＤＣ（Ｇ）を生成する。直流調整回路１３Ｇは、この直流レベル調整データＤＣ（Ｇ）に基づいて、黒信号に対応したＧ原色信号の直流レベルを調整する。そして、次のステップＳ１２において、駆動回路３からのフィードバック電圧ＶＦ（Ｇ）が安定化するまで待ち時間（例えば、５００ｍｓｅｃ）が経過すると、フィードバック電圧ＶＦ（Ｇ）は制御回路４に入力される。（ステップＳ１３）
【００４１】
その後は、Ｒ原色信号のカットオフ調整と同様であり、直流レベル調整データＤＣ（Ｇ）はその上限値を超えない限り、フィードバック電圧ＶＦ（Ｇ）が直流レベル基準電圧ＶＲＥＦ（Ｇ）以上になるまで増加される。そして、フィードバック電圧ＶＦ（Ｇ）が直流レベル基準電圧ＶＲＥＦ（Ｇ）以上になった時、又はその上限値を超えた時に、その時点での直流レベル調整データＤＣ（Ｇ）が保持回路１１Ｇに保持されることなる。（ステップＳ１４〜Ｓ１８）
【００４２】
続いて、図５のフローチャートに示すように、Ｂ原色信号のカットオフ調整が行われる。先ず、ステップＳ１９において、テスト信号源１６又はＯＳＤ信号生成回路１９は黒信号に対応したＢ原色信号を垂直ブランキング期間ではない映像信号期間中に発生する。発生された黒信号に対応したＢ原色信号は、スイッチ１５Ｂを介して、直流調整回路１３Ｂに印加される。また、直流レベル調整データ生成回路２３はＢ原色信号に対応した、初期値の直流レベル調整データＤＣ（Ｂ）を生成する。直流調整回路１３Ｂは、この直流レベル調整データＤＣ（Ｂ）に基づいて、黒信号に対応したＢ原色信号の直流レベルを調整する。そして、次のステップＳ２０において、駆動回路３からのフィードバック電圧ＶＦ（Ｂ）が安定化するまでの待ち時間（例えば、５００ｍｓｅｃ）が経過すると、フィードバック電圧ＶＦ（Ｂ）は制御回路４に入力される。（ステップＳ２１）
【００４３】
その後は、直流レベル調整データＤＣ（Ｂ）はその上限値を超えない限り、フィードバック電圧ＶＦ（Ｂ）が直流レベル基準電圧ＶＲＥＦ（Ｂ）以上になるまで増加される。そして、フィードバック電圧ＶＦ（Ｂ）が直流レベル基準電圧ＶＲＥＦ（Ｂ）以上になった時、又はその上限値を超えた時に、その時点での直流レベル調整データＤＣ（Ｂ）が保持回路１１Ｂに保持されることなる。（ステップＳ２２〜Ｓ２６）
【００４４】
このようにして、ＲＧＢの各原色信号について時系列的にカットオフ調整が行われる。続いてステップＳ２７において、制御回路４は、保持回路１１Ｒ，１１Ｇ，１１Ｂにそれぞれ保持された直流レベル調整データＤＣ（Ｒ），ＤＣ（Ｇ），ＤＣ（Ｂ）をＥＥＰＲＯＭ５に書き込む。この場合、保持回路１１Ｒ，１１Ｇ，１１Ｂにそれぞれ保持された直流レベル調整データＤＣ（Ｒ），ＤＣ（Ｇ），ＤＣ（Ｂ）は、パラレルシリアル変換回路（不図示）によりパラレルデータからシリアルデータに変換され、シリアルデータ線２４及びシリアルクロック線２５からなるＩ２Ｃバスを介して、制御回路４に転送される。制御回路４は、転送されたシリアルデータをＥＥＰＲＯＭ５に書き込む。ＥＥＰＲＯＭ５は不揮発性メモリなので、自動輝度調整システムの電源をオフにしても書き込まれた直流レベル調整データＤＣ（Ｒ），ＤＣ（Ｇ），ＤＣ（Ｂ）は消えない。
【００４５】
そして、上述の自動輝度調整システムを備えたテレビジョン受像機においては、自動輝度調整システムの電源をオンした時に、ＥＥＰＲＯＭ５に記憶された直流レベル調整データＤＣ（Ｒ），ＤＣ（Ｇ），ＤＣ（Ｂ）は、制御回路４により読み出され、保持回路１１Ｒ，１１Ｇ，１１Ｂに保持されるように構成されている。これにより、輝度調整時ではない通常動作時において、映像信号処理回路１に入力される輝度信号の直流レベルが調整される。
【００４６】
上述の自動輝度調整システムによれば、映像信号期間中にカットオフ調整用の黒信号を挿入しているので、垂直ブランキング期間にカットオフ調整用の黒信号を挿入するための複雑な回路が不要となり、コストダウンを図ることができる。特に、ＯＳＤ信号生成回路１９のＯＳＤ信号をカットオフ調整用の黒信号として利用する場合は、ＯＳＤ信号生成回路１９を備えたシステムでは回路規模の増加が抑えられる。
【００４７】
また、上述の自動輝度調整システムによれば、駆動回路３からのフィードバック電圧ＶＦ（Ｒ）と直流レベル基準電圧ＶＲＥＦ（Ｒ）とを比較し、その比較結果に応じて、直流レベル調整データＤＣ（Ｒ）を生成するというフィードバック制御を採用しているので、自動輝度調整システムを搭載した機器（例えばテレビジョン受像機）の出荷前にカットオフ調整を短時間で高精度に行うことができる。
【００４８】
［第２の実施形態］
図７は、本発明の第２の実施形態の自動輝度調整システム（ドライブ調整システム）のの具体的な構成を示す回路図である。
【００４９】
映像信号処理回路１は、シリアルパラレル変換回路１０、ＲＧＢの各映像信号の交流レベル調整データＡＣ（Ｒ），ＡＣ（Ｇ），ＡＣ（Ｂ）を保持する保持回路１１０Ｒ，１１０Ｇ，１１０Ｂ、デジタルアナログ変換回路１２Ｒ，１２Ｇ，１２Ｂ、直流調整回路１３Ｒ，１３Ｇ，１３Ｂ、交流調整回路１４Ｒ，１４Ｇ，１４Ｂ、スイッチ１５Ｒ，１５Ｇ，１５Ｂ、及びテスト信号源１６を含んで構成される。直流調整回路１３Ｒ，１３Ｇ，１３Ｂは、それぞれブランキング信号が印加される端子１７Ｒ，１７Ｇ，１７Ｂを持っている。
【００５０】
駆動回路３は、第１の実施形態と同じであり、駆動トランジスタ１８Ｒ，１８Ｇ，１８Ｂ、及び抵抗Ｒ１を含んで構成される。制御回路４は、ＯＳＤ信号生成回路１９、アナログデジタル変換回路２０、基準電圧源２１０、比較器２２０、及び交流レベル調整データ生成回路２３０を含んで構成される。制御回路４は、ＯＳＤ信号生成回路１９を持ったマイクロコンピュータで構成することができる。
【００５１】
カットオフ調整とドライブ調整の両方を行うために、第２の実施形態の自動輝度調整システム（ドライブ調整システム）は、第１の実施形態の自動輝度調整システム（カットオフ調整システム）と結合されることが好ましい。
【００５２】
シリアルパラレル変換回路１０は、制御回路４の交流レベル調整データ生成回路２３０により生成される、ＲＧＢの映像信号に対応した交流レベル調整データＡＣ（Ｒ），ＡＣ（Ｇ），ＡＣ（Ｂ）をシリアルデータ線２４及びシリアルクロック線２５からなるＩ２Ｃバス（Inter-IC Bus）を介して受け取り、受け取った交流レベル調整データＡＣ（Ｒ），ＡＣ（Ｇ），ＡＣ（Ｂ）をパラレルデータに変換する。
【００５３】
保持回路１１０Ｒ，１１０Ｇ，１１０Ｂは、シリアルパラレル変換回路１０によりパラレルデータに変換された対応する交流レベル調整データＡＣ（Ｒ），ＡＣ（Ｇ），ＡＣ（Ｂ）を保持する。デジタルアナログ変換回路１２Ｒ，１２Ｇ，１２Ｂは、保持回路１１０Ｒ，１１０Ｇ，１１０Ｂにより保持された対応する交流レベル調整データＡＣ（Ｒ），ＡＣ（Ｇ），ＡＣ（Ｂ）をアナログ信号に変換する。アナログ信号に変換された交流レベル調整データＡＣ（Ｒ），ＡＣ（Ｇ），ＡＣ（Ｂ）は、対応する交流調整回路１３Ｒ，１３Ｇ，１３Ｂに印加される。
【００５４】
テスト信号源１６及びＯＳＤ信号生成回路１９は、垂直ブランキング期間ではない映像信号期間中に、ドライブ調整用の白信号に対応したＲＧＢの各原色信号を発生する。つまり、白信号はそれに対応したＲＧＢの各原色信号から構成される。ドライブ調整用の白信号は、映像信号期間の全期間中に発生されるか、又は映像信号期間の一部の期間中にのみ発生される。
【００５５】
スイッチ１５Ｒ，１５Ｇ，１５Ｂは、輝度調整時（この場合はドライブ調整時）に、テスト信号源１６からの白信号に対応したＲＧＢ各原色信号又はＯＳＤ信号生成回路１９からの白信号に対応したＲＧＢの各原色信号のいずれかを直流調整回路１３Ｒ，１３Ｇ，１３Ｂに印加する。ＯＳＤ信号生成回路１９の白信号に対応したＲＧＢの各原色信号は、ＯＳＤ信号を利用して作成される。なお、ＯＳＤ信号生成回路１９により生成された白信号に対応したＲＧＢの各原色信号は、信号線２６Ｒ，２６Ｇ，２６Ｂを介して、直流調整回路１３Ｒ，１３Ｇ，１３Ｂに印加される。
【００５６】
直流調整回路１３Ｒ，１３Ｇ，１３Ｂは、対応する直流レベル調整データＡＣ（Ｒ），ＡＣ（Ｇ），ＡＣ（Ｂ）に基づいて、スイッチ１５Ｒ，１５Ｇ，１５Ｂを介して印加された白信号に対応したＲＧＢの各原色信号の直流レベルを調整する。
【００５７】
直流レベルが調整された白信号に対応したＲＧＢの各原色信号は、対応する交流調整回路１４Ｒ，１４Ｇ，１４Ｂに印加される。交流調整回路１４Ｒ，１４Ｇ，１４Ｂは、対応する交流レベル調整データＡＣ（Ｒ），ＡＣ（Ｇ），ＡＣ（Ｂ）に基づいて、白信号に対応したＲＧＢの各原色信号の交流レベルを調整する。
【００５８】
このようなドライブ調整は、白信号に対応したＲＧＢの各原色信号について時系列的に行われる。即ち、最初にＲ原色信号の調整を行うとすると、直流調整回路１３Ｒ、交流調整回路１４Ｒ及び駆動トランジスタ１８Ｒのみを動作させる。直流調整回路１３Ｇ，１３Ｂ、交流調整回路１４Ｇ，１４Ｂ及び駆動トランジスタ１８Ｇ，１８Ｂは、端子１７Ｇ，１７Ｂにブランキング信号を印加することにより、非動作状態にする。
【００５９】
次に、Ｇ原色信号の調整を行うとすると、直流調整回路１３Ｇ、交流調整回路１４Ｇ及び駆動トランジスタ１８Ｇのみを動作させる。直流調整回路１３Ｒ，１３Ｂ、交流調整回路１４Ｒ，１４Ｂ及び駆動トランジスタ１８Ｒ，１８Ｂは、端子１７Ｒ，１７Ｂにブランキング信号を印加することにより、非動作状態にする。
【００６０】
最後に、Ｂ原色信号の調整を行うとすると、直流調整回路１３Ｂ、交流調整回路１４Ｂ及び駆動トランジスタ１８Ｂのみを動作させる。直流調整回路１３Ｒ，１３Ｇ、交流調整回路１４Ｒ，１４Ｇ及び駆動トランジスタ１８Ｒ，１８Ｇは、端子１７Ｒ，１７Ｇにブランキング信号を印加することにより、非動作状態にする。
【００６１】
なお、輝度調整時ではない通常動作時においては、直流調整回路１３Ｒ，１３Ｇ，１３Ｂには通常の輝度信号及びＯＳＤ信号生成回路１９からＯＳＤ信号が印加されるように構成されている。
【００６２】
輝度調整時において、交流調整回路１４Ｒ，１４Ｇ，１４Ｂにより交流レベルが調整された白信号に対応したＲＧＢの各原色信号は、駆動トランジスタ１８Ｒ，１８Ｇ，１８Ｂのベースに時系列的に印加される。駆動トランジスタ１８Ｒ，１８Ｇ，１８Ｂはそれぞれ対応するブラウン管２のカソード電極を駆動する。
【００６３】
駆動トランジスタ１８Ｒ，１８Ｇ，１８Ｂのエミッタ・コレクタ路に流れる電流Ｉは、抵抗Ｒ１によりフィードバック電圧ＶＦ（Ｒ），ＶＦ（Ｇ），ＶＦ（Ｂ）に変換される。ドライブ調整は、前述のように、ＲＧＢの各原色信号について時系列的に行われるため、フィードバック電圧ＶＦ（Ｒ），ＶＦ（Ｇ），ＶＦ（Ｂ）も時系列的に発生する。フィードバック電圧ＶＦ（Ｒ），ＶＦ（Ｇ），ＶＦ（Ｂ）は、制御回路４のアナログデジタル変換回路２０によりデジタル信号に変換される。
【００６４】
比較器２２０は、フィードバック電圧ＶＦ（Ｒ），ＶＦ（Ｇ），ＶＦ（Ｂ）と対応する交流レベル基準電圧ＡＶＲＥＦ（Ｒ），ＡＶＲＥＦ（Ｇ），ＡＶＲＥＦ（Ｂ）とを時系列的に比較する。交流レベル基準電圧ＡＶＲＥＦ（Ｒ），ＡＶＲＥＦ（Ｇ），ＡＶＲＥＦ（Ｂ）は、基準電圧源２１０により生成される。交流レベル調整データ生成回路２３０は、比較器２２０の比較結果に応じて、交流レベル調整データＡＣ（Ｒ），ＡＣ（Ｇ），ＡＣ（Ｂ）を生成する。
【００６５】
Ｒ原色信号のドライブ調整を行う場合、交流レベル調整データ生成回路２３０は、比較器２２０により、フィードバック電圧ＶＦ（Ｒ）が交流レベル基準電圧ＡＶＲＥＦ（Ｒ）より小さいと判定された時は、交流レベル調整データＡＣ（Ｒ）を所定値だけ増加させる。すると、増加された交流レベル調整データＡＣ（Ｒ）に基づいて、交流調整回路１４Ｒにより交流レベルの調整が行われる。その結果、駆動回路３から発生した新たなフィードバック電圧ＶＦ（Ｒ）と交流レベル基準電圧ＡＶＲＥＦ（Ｒ）とが比較される。このステップが繰り返される。
【００６６】
そして、フィードバック電圧ＶＦ（Ｒ）が交流レベル基準電圧ＡＶＲＥＦ（Ｒ）以上になった時（ＡＶＲＥＦ（Ｒ）≦ＶＦ（Ｒ））に調整を終了する。この時の交流レベル調整データＡＣ（Ｒ）は、保持回路１１０Ｒにより保持される。Ｇ，Ｂ原色信号のドライブ調整もＲ原色信号の交流レベル調整と同様に行われる。
【００６７】
続いて、自動輝度調整システムのドライブ調整の処理を図８、図９及び図１０のフローチャートに基づいて説明する。以下の処理は、制御回路４がマイクロコンピュータの場合には、ＲＯＭに格納されたプログラムに従って実行される。
【００６８】
先ず、図８のフローチャートに示すように、Ｒ原色信号のドライブ調整が開始される。制御回路４は、キー入力の有無を監視する。（ステップＳ３１、Ｓ３２）キー入力があると判断されると、フィードバック電圧ＶＦ（Ｒ）の測定シーケンスを開始する。（ステップＳ３３）
ステップＳ３３において、テスト信号源１６又はＯＳＤ信号生成回路１９は白信号に対応したＲ原色信号を垂直ブランキング期間ではない映像信号期間中に発生する。発生された白信号に対応したＲ原色信号は、スイッチ１５Ｒを介して、直流調整回路１３Ｒに印加される。直流調整回路１３Ｒの出力は交流調整回路１４Ｒに印加される。また、交流レベル調整データ生成回路２３０は、Ｒ原色信号に対応した、初期値の交流レベル調整データＡＣ（Ｒ）を生成する。
【００６９】
交流調整回路１４Ｒは、この交流レベル調整データＶＲＥＦ（Ｒ）に基づいて、白信号に対応したＲ原色信号の交流レベルを調整する。そして、次のステップＳ３４において、駆動回路３からのフィードバック電圧ＶＦ（Ｒ）が安定化するまでの所定の待ち時間（例えば、１５００ｍｓｅｃ）が経過するのを待つ。待ち時間が経過すると、ステップＳ３５において、フィードバック電圧ＶＦ（Ｒ）は制御回路４に入力される。
【００７０】
続いてステップＳ３６において、制御回路４に入力されたフィードバック電圧ＶＦ（Ｒ）と交流レベル基準電圧ＡＶＲＥＦ（Ｒ）は比較器２２０により比較される。その比較結果により、フィードバック電圧ＶＦ（Ｒ）が交流レベル基準電圧ＡＶＲＥＦ（Ｒ）より小さいと判定された時は、ステップＳ３７において、交流レベル調整データＡＣ（Ｒ）を増加させる。これに対して、フィードバック電圧ＶＦ（Ｒ）が交流レベル基準電圧ＡＶＲＥＦ（Ｒ）以上であると判定された時、その時点での交流レベル調整データＡＣ（Ｒ）は保持回路１１０Ｒに保持される。
【００７１】
ステップＳ３７において、交流レベル調整データＡＣ（Ｒ）を増加させた時に、交流レベル調整データＡＣ（Ｒ）がその上限値を超えるか否かが判定される。（ステップＳ３８）増加された交流レベル調整データＡＣ（Ｒ）がその上限値を超えない場合は、その交流レベル調整データＡＣ（Ｒ）を保持回路１１０Ｒに出力する。（ステップＳ３９）保持回路１１０Ｒは、その交流レベル調整データＡＣ（Ｒ）を保持する。すると、交流調整回路１４Ｒは、その増加された交流レベル調整データＡＣ（Ｒ）に基づいて、交流レベルを再調整する。
【００７２】
そして、ステップＳ３５に戻り、フィードバック電圧ＶＦ（Ｒ）は制御回路４に入力される。交流レベル調整データＡＣ（Ｒ）を増加させてから、フィードバック電圧ＶＦ（Ｒ）を制御回路４に入力するまでの待ち時間は、例えば４０ｍｓｅｃである。次のステップＳ３６において、制御回路４に入力されたフィードバック電圧ＶＦ（Ｒ）は、交流レベル基準電圧ＡＶＲＥＦ（Ｒ）と再び比較される。
【００７３】
即ち、交流レベル調整データＡＣ（Ｒ）はその上限値を超えない限り、フィードバック電圧ＶＦ（Ｒ）が交流レベル基準電圧ＡＶＲＥＦ（Ｒ）以上になるまで増加される。そして、フィードバック電圧ＶＦ（Ｒ）が交流レベル基準電圧ＡＶＲＥＦ（Ｒ）以上になった時、又はその上限値を超えた時に、その時点での交流レベル調整データＡＣ（Ｒ）が保持回路１１０Ｒに保持されることなる。（ステップＳ４０）
【００７４】
続いて、図９のフローチャートに示すように、Ｇ原色信号のドライブ調整が行われる。先ず、ステップＳ４１において、テスト信号源１６又はＯＳＤ信号生成回路１９は白信号に対応したＧ原色信号を垂直ブランキング期間ではない映像信号期間中に発生する。発生された白信号に対応したＧ原色信号は、スイッチ１５Ｇを介して、直流調整回路１３Ｇに印加される。直流調整回路１３Ｇの出力は交流調整回路１４Ｇに印加される。
【００７５】
また、交流レベル調整データ生成回路２３はＧ原色信号に対応した、初期値の交流レベル調整データＡＣ（Ｇ）を生成する。交流調整回路１４Ｇは、この交流レベル調整データＶＲＥＦ（Ｇ）に基づいて、白信号に対応したＧ原色信号の交流レベルを調整する。そして、次のステップＳ４２において、駆動回路３からのフィードバック電圧ＶＦ（Ｇ）が安定化するまで待ち時間（例えば、５００ｍｓｅｃ）が経過すると、フィードバック電圧ＶＦ（Ｇ）は制御回路４に入力される。（ステップＳ４３）
【００７６】
その後は、Ｒ原色信号のドライブ調整と同様であり、交流レベル調整データＡＣ（Ｇ）はその上限値を超えない限り、フィードバック電圧ＶＦ（Ｇ）が交流レベル基準電圧ＡＶＲＥＦ（Ｇ）以上になるまで増加される。そして、フィードバック電圧ＶＦ（Ｇ）が交流レベル基準電圧ＡＶＲＥＦ（Ｇ）以上になった時、又はその上限値を超えた時に、その時点での交流レベル調整データＡＣ（Ｇ）が保持回路１１０Ｇに保持されることなる。（ステップＳ４４〜Ｓ４８）
【００７７】
続いて、図１０のフローチャートに示すように、Ｂ原色信号のドライブ調整が行われる。先ず、ステップＳ４９において、テスト信号源１６又はＯＳＤ信号生成回路１９は白信号に対応したＢ原色信号を垂直ブランキング期間ではない映像信号期間中に発生する。発生された白信号に対応したＢ原色信号は、スイッチ１５Ｂを介して、直流調整回路１３Ｂに印加される。直流調整回路１３Ｂの出力は交流調整回路１４Ｂに印加される。また、交流レベル調整データ生成回路２３はＢ原色信号に対応した、初期値の交流レベル調整データＡＣ（Ｂ）を生成する。
【００７８】
交流調整回路１４Ｂは、この交流レベル調整データＡＣ（Ｂ）に基づいて、白信号に対応したＢ原色信号の交流レベルを調整する。そして、次のステップＳ５０において、駆動回路３からのフィードバック電圧ＶＦ（Ｂ）が安定化するまでの待ち時間（例えば、５００ｍｓｅｃ）が経過すると、フィードバック電圧ＶＦ（Ｂ）は制御回路４に入力される。（ステップＳ５１）
【００７９】
その後は、交流レベル調整データＡＣ（Ｂ）はその上限値を超えない限り、フィードバック電圧ＶＦ（Ｂ）が交流レベル基準電圧ＡＶＲＥＦ（Ｂ）以上になるまで増加される。そして、フィードバック電圧ＶＦ（Ｂ）が交流レベル基準電圧ＡＶＲＥＦ（Ｂ）以上になった時、又はその上限値を超えた時に、その時点での交流レベル調整データＡＣ（Ｂ）が保持回路１１０Ｂに保持されることなる。（ステップＳ５２〜Ｓ５６）
【００８０】
このようにして、ＲＧＢの各原色信号について時系列的にドライブ調整が行われる。続いてステップＳ５７において、制御回路４は、保持回路１１０Ｒ，１１０Ｇ，１１０Ｂにそれぞれ保持された交流レベル調整データＡＣ（Ｒ），ＡＣ（Ｇ），ＡＣ（Ｂ）をＥＥＰＲＯＭ５に書き込む。この場合、保持回路１１０Ｒ，１１０Ｇ，１１０Ｂにそれぞれ保持された交流レベル調整データＡＣ（Ｒ），ＡＣ（Ｇ），ＡＣ（Ｂ）は、パラレルシリアル変換回路（不図示）によりパラレルデータからシリアルデータに変換され、シリアルデータ線２４及びシリアルクロック線２５からなるＩ２Ｃバスを介して、制御回路４に転送される。制御回路４は、転送されたシリアルデータをＥＥＰＲＯＭ５に書き込む。ＥＥＰＲＯＭ５は不揮発性メモリなので、自動輝度調整システムの電源をオフにしても書き込まれた交流レベル調整データＡＣ（Ｒ），ＡＣ（Ｇ），ＡＣ（Ｂ）は消えない。
【００８１】
そして、上述の自動輝度調整システムを備えたテレビジョン受像機においては、自動輝度調整システムの電源をオンした時に、ＥＥＰＲＯＭ５に記憶された交流レベル調整データＡＣ（Ｒ），ＡＣ（Ｇ），ＡＣ（Ｂ）は、制御回路４により読み出され、保持回路１１０Ｒ，１１０Ｇ，１１０Ｂに保持されるように構成されている。これにより、輝度調整時ではない通常動作時において、映像信号処理回路１に入力される輝度信号の直流レベルが調整される。
【００８２】
上述の自動輝度調整システムによれば、映像信号期間中にドライブ調整用の白信号を挿入しているので、垂直ブランキング期間にドライブ調整用の白信号を挿入するための複雑な回路が不要となり、コストダウンを図ることができる。特に、ＯＳＤ信号生成回路１９のＯＳＤ信号をドライブ調整用の白信号として利用する場合は、ＯＳＤ信号生成回路１９を備えたシステムでは回路規模の増加が抑えられる。
【００８３】
また、上述の自動輝度調整システムによれば、駆動回路３からのフィードバック電圧ＶＦ（Ｒ）と交流レベル基準電圧ＡＶＲＥＦ（Ｒ）とを比較し、その比較結果に応じて、交流レベル調整データＡＣ（Ｒ）を生成するというフィードバック制御を採用しているので、自動輝度調整システムを搭載した機器（例えばテレビジョン受像機）の出荷前にドライブ調整を短時間で高精度に行うことができる。
【符号の説明】
【００８４】
１  映像信号処理回路      ２  ブラウン管      ３  駆動回路
４  制御回路      ＥＥＰＲＯＭ
１０  シリアルパラレル変換回路      
１１Ｒ，１１Ｇ，１１Ｂ  保持回路
１２Ｒ，１２Ｇ，１２Ｂ  デジタルアナログ変換回路
１３Ｒ，１３Ｇ，１３Ｂ  直流調整回路
１４Ｒ，１４Ｇ，１４Ｂ  交流調整回路
１５Ｒ，１５Ｇ，１５Ｂ  スイッチ
１６  テスト信号源
１７Ｒ，１７Ｇ，１７Ｂ  端子
１８Ｒ，１８Ｇ，１８Ｂ  駆動トランジスタ
１９  ＯＳＤ信号生成回路
２０  アナログデジタル変換回路
２１  基準電圧源
２２  比較器
２３  直流レベル調整データ生成回
１４  シリアルデータ線
２５  シリアルクロック線
２６Ｒ，２６Ｇ，２６Ｂ  信号線
１１０Ｒ，１１０Ｇ，１１０Ｂ  保持回路
２１０  基準電圧源
２２０  比較器
２３０  交流レベル調整データ生成回路
【図１】
2011250016.tif 000003
【図２】
2011250016.tif 000004
【図３】
2011250016.tif 000005
【図４】
2011250016.tif 000006
【図５】
2011250016.tif 000007
【図６】
2011250016.tif 000008
【図７】
2011250016.tif 000009
【図８】
2011250016.tif 000010
【図９】
2011250016.tif 000011
【図１０】
2011250016.tif 000012